(57)【要約】【課題】  ＨＤＤレコーダ等の録画機器に非常に多数の番組コンテンツが保存されている場合でも所望する番組コンテンツを効率良く検索できるとともに、シリーズものの番組コンテンツを視聴するときに便利なＥＣＧ機能を有するサーバ型放送受信記録装置を提供する。【解決手段】  番組提供者側から連続番組（シリーズもの）を構成する複数の番組コンテンツ（第１番組コンテンツ）の内容が紹介されるプロモーションコンテンツ（第２番組コンテンツ）を送出してもらい、サーバ型受信記録装置側で複数の番組コンテンツの内容が同時に提示されるようにし、さらに各番組コンテンツの再生履歴情報を管理しコンテンツ選択画面に表示させるようにした。【選択図】  図４
2007288510.tif 000002
【特許請求の範囲】
【請求項１】
番組提供者側に設置されるサーバ型放送送信装置から送出された番組コンテンツを受信可能な受信手段と、
前記番組コンテンツを貯蓄可能な記憶媒体と、
前記記憶媒体への前記番組コンテンツの書き込み処理、及び、前記記憶媒体からの前記番組コンテンツの読み出し処理を制御するコンテンツ制御手段と、
前記番組コンテンツに含まれる番組情報に基づいて、前記記憶媒体に蓄積された番組コンテンツを選択して再生可能な第１のコンテンツ選択画面を生成して、表示させる表示制御手段と、
を備えたサーバ型放送受信記録装置であって、
前記記憶媒体に蓄積されている番組コンテンツの再生履歴情報を管理するとともに、前記番組コンテンツを前記記憶媒体に記録する際に、当該番組コンテンツに対応して再生履歴情報の初期値を設定する再生履歴管理手段をさらに備え、
前記番組コンテンツは、放送番組のコンテンツ情報を含む第１番組コンテンツと、連続番組を構成する複数の第１番組コンテンツを紹介するためのプロモーション情報を含む第２番組コンテンツと、で構成され、
前記再生履歴情報には、当該番組コンテンツを視聴したか否かを示す視聴情報と、再生した時間を示す再生時間情報と、が含まれ、
前記表示制御手段は、前記プロモーション情報を利用するとともに、前記再生履歴情報を参照して、前記複数の第１番組コンテンツの何れかを選択可能で、前記視聴情報および再生時間情報を所定の表示態様で表示した第２のコンテンツ選択画面を生成可能であり、
前記コンテンツ制御手段は、前記第２のコンテンツ選択画面において選択された第１番組コンテンツを再生可能に構成されていることを特徴とするサーバ型放送受信記録装置。
【請求項２】
番組提供者側に設置されるサーバ型放送送信装置から送出された番組コンテンツを受信可能な受信手段と、
前記番組コンテンツを貯蓄可能な記憶媒体と、
前記記憶媒体への前記番組コンテンツの書き込み処理、及び、前記記憶媒体からの前記番組コンテンツの読み出し処理を制御するコンテンツ制御手段と、
前記番組コンテンツに含まれる番組情報に基づいて、前記記憶媒体に蓄積された番組コンテンツを選択して再生可能な第１のコンテンツ選択画面を生成して、表示させる表示制御手段と、
を備えたサーバ型放送受信記録装置であって、
前記記憶媒体に蓄積されている番組コンテンツの再生履歴情報を管理する再生履歴管理手段をさらに備え、
前記番組コンテンツは、放送番組のコンテンツ情報を含む第１番組コンテンツと、複数の前記第１番組コンテンツを紹介するためのプロモーション情報を含む第２番組コンテンツと、で構成され、
前記表示制御手段は、前記プロモーション情報を利用するとともに、前記再生履歴情報を参照して、前記複数の第１番組コンテンツの何れかを選択可能な第２のコンテンツ選択画面を生成可能であり、
前記コンテンツ制御手段は、前記第２のコンテンツ選択画面において選択された第１番組コンテンツを再生可能に構成されていることを特徴とするサーバ型放送受信記録装置。
【請求項３】
前記第２番組コンテンツは、連続番組を構成する複数の第１番組コンテンツを紹介するためのプロモーション情報を含むことを特徴とする請求項２に記載のサーバ型放送受信記録装置。
【請求項４】
前記再生履歴情報には、当該番組コンテンツを視聴したか否かを示す視聴情報と、再生した時間を示す再生時間情報と、が含まれ、
前記表示制御手段は、前記第２のコンテンツ選択画面内に、前記視聴情報および再生時間情報を所定の表示態様で表示することを特徴とする請求項２または３に記載のサーバ型放送受信記録装置。
【請求項５】
前記再生履歴管理手段は、前記番組コンテンツを前記記憶媒体に記録する際に、当該番組コンテンツに対応して再生履歴情報の初期値を設定することを特徴とする請求項２から４の何れかに記載のサーバ型放送受信記録装置。
【発明の詳細な説明】
【技術分野】
【０００１】
本発明は、ハードディスク等の大容量記憶媒体に複数の番組コンテンツを一旦蓄積してから再生するという視聴形態を実現可能なサーバ型放送受信装置に関し、特に、サーバ型放送受信装置において視聴者に番組コンテンツを提示する電子コンテンツ表に適用して有用な技術に関する。
【背景技術】
【０００２】
近年、ＨＤＤ（ハードディスクドライブ）レコーダのように、大容量のＨＤＤ等を使用することによって、非常に多数の番組コンテンツを保存できるようにした録画機器が提供されている。このような録画機器により、受信した番組コンテンツをいったんＨＤＤに蓄積してから再生するという視聴形態が可能となり、いわゆるサーバ型放送が実現されている。
【０００３】
このサーバ型放送では、番組コンテンツとこれに関する仔細な追加情報（メタデータ）とが大容量記憶媒体に保存されるので、蓄積された番組コンテンツを予め指定した時刻から視聴できるようにしたり、追加情報を利用してシーン検索やダイジェスト視聴を行ったりすることが可能となる。なお、サーバ型放送方式の詳細については、ディジタル放送の規格化団体であるＡＲＩＢ（Association of Radio Industries and Businesses：電波産業会）において規格化されつつある。
【０００４】
このようなサーバ型放送に対応可能な録画再生機器（以下、サーバ型放送受信記録装置と呼ぶ）において、録画した番組コンテンツを再生する場合には、番組コンテンツを示すタイトルやサムネイルなどのリストを画面に表示させ、この画面で所望の番組コンテンツを視聴者に選択させるのが一般的である。
【０００５】
また、既存の録画再生機器において、蓄積された番組コンテンツに関する情報を視聴者に提示するのに有用なＥＣＧ（Electronic Content Guide:電子コンテンツ表）に関する技術が開示されている。
【０００６】
例えば、特許文献１には、マルチメディア・コンテンツを扱うホームサーバ等に適用される画像コンテンツ選択画面の表示装置に関する技術が開示されている。
【０００７】
また例えば、特許文献２には、未再生の連続番組があるとき、新しい録画の連続番組の再生を留保できるようにした録画再生装置が開示されている。
【特許文献１】特開２００４-１１８６０１号公報
【特許文献２】特開２００３-３１９３０８号公報
【発明の開示】
【発明が解決しようとする課題】
【０００８】
上述したように、近年の記憶媒体の大容量化に伴い、録画機器において保存できる番組コンテンツ数は、例えば５００個を超える場合があるなど非常に大きな数になっている。また、サーバ型放送が普及してくると、番組コンテンツが提供される伝送経路は、従来の地上ディジタル放送、ＢＳ放送、ＣＳ放送等の放送電波に限らず、インターネット通信が利用されることも考えられ、視聴者に提供される番組コンテンツはさらに増加するものと考えられる。
このように、録画した番組コンテンツが相当数におよぶ場合、所望の番組コンテンツを検索すること自体が煩雑な作業になってしまう。また、視聴者に番組コンテンツを提示するときのＥＣＧの表示態様は録画機器に依存するため、録画機器が異なるとＥＣＧの使い勝手が変わってしまうという不具合がある。
【０００９】
また、シリーズものの番組コンテンツが蓄積されている場合、番組コンテンツを順番に視聴しなければ、ストーリーが断続的になり、視聴者の興味が損なわれてしまうという問題がある。
【００１０】
本発明は、ＨＤＤレコーダ等の録画機器に非常に多数の番組コンテンツが保存されている場合でも所望する番組コンテンツを効率良く検索できるとともに、シリーズものの番組コンテンツを視聴するときに便利なＥＣＧ機能を有するサーバ型放送受信記録装置を提供することを目的とする。
【課題を解決するための手段】
【００１１】
本発明は、上記目的を達成するためになされたもので、番組提供者（放送局等）側に設置されるサーバ型放送送信装置から送出された番組コンテンツを受信可能な受信手段と、前記番組コンテンツを貯蓄可能な記憶媒体と、前記記憶媒体への前記番組コンテンツの書き込み処理、及び、前記記憶媒体からの前記番組コンテンツの読み出し処理を制御するコンテンツ制御手段と、前記番組コンテンツに含まれる番組情報（放送局情報、タイトル情報、番組ＩＤ等）に基づいて、前記記憶媒体に蓄積された番組コンテンツを選択して再生可能な第１のコンテンツ選択画面を生成して、表示させる表示制御手段と、を備えたサーバ型放送受信記録装置であって、前記記憶媒体に蓄積されている番組コンテンツの再生履歴情報を管理する再生履歴管理手段をさらに備え、前記番組コンテンツは、実際の放送番組のコンテンツ情報を含む第１番組コンテンツと、複数の前記第１番組コンテンツを紹介するためのプロモーション情報を含む第２番組コンテンツと、で構成され、前記表示制御手段は、前記プロモーション情報を利用するとともに、前記再生履歴情報を参照して、前記複数の第１番組コンテンツの何れかを選択可能な第２のコンテンツ選択画面を生成可能であり、前記コンテンツ制御手段は、前記第２のコンテンツ選択画面において選択された第１番組コンテンツを再生可能に構成されていることを特徴とするサーバ型放送受信記録装置である。
【００１２】
これにより、番組提供者側から提供された第２番組コンテンツに基づいて第２のコンテンツ選択画面が生成されるので、サーバ型放送受信記録装置が変わっても、同様のＥＣＧで番組コンテンツを視聴者に提示することができる。また、第２のコンテンツ選択画面には、各番組コンテンツの再生履歴情報が表示されることとなるので、視聴者は番組コンテンツを視聴したか否か等を容易に知ることができる。
【００１３】
また、前記第２番組コンテンツは、連続番組を構成する複数の第１番組コンテンツを紹介するためのプロモーション情報を含むようにしている。すなわち、第２のコンテンツ選択画面において、連続番組（例えば、ドラマの１話〜１６話）を紹介する場合に、再生履歴情報を表示する手法が有効となる。
【００１４】
具体的には、前記再生履歴情報には、当該番組コンテンツを視聴したか否かを示す視聴情報と、再生した時間を示す再生時間情報と、が含まれ、前記表示制御手段は、前記第２のコンテンツ選択画面内に、前記視聴情報および再生時間情報を所定の表示態様で表示するようにしている。これにより、番組コンテンツを視聴したか否かだけでなく、途中まで視聴途中の場合はそれも把握できるとともに、再生時に途中から再生することも可能となる。
【００１５】
さらに、前記再生履歴管理手段は、前記番組コンテンツを前記記憶媒体に記録する際に、当該番組コンテンツに対応して再生履歴情報の初期値を設定するようにしている。これにより、各番組コンテンツの再生履歴情報を容易に管理することができる。
【発明の効果】
【００１６】
本発明によれば、番組提供者側から複数の番組コンテンツ（第１番組コンテンツ）の内容が紹介されるプロモーションコンテンツ（第２番組コンテンツ）を送出してもらい、サーバ型受信記録装置側で複数の番組コンテンツの内容が同時に提示されるようにしているので、番組内容を理解した上で、実際に視聴する番組を容易に選局することができるとともに、第２のコンテンツ選択画面には、各番組コンテンツの再生履歴情報が表示されることとなるので、視聴者は番組コンテンツを視聴したか否か等を容易に知ることができる。
【００１７】
また、番組提供者側から提供された第２番組コンテンツに含まれるプロモーション情報に基づいて第２のコンテンツ選択画面が生成されるので、サーバ型放送受信記録装置が変わっても同様のＥＣＧで番組コンテンツを視聴者に提示することができ、視聴者の使い勝手が向上するという利点がある。
【００１８】
さらに、第２番組コンテンツは、連続番組（シリーズもの）を構成する複数の第１番組コンテンツを紹介するためのプロモーション情報を含むようにしているので、連続番組を順番に視聴しなかったためにストーリーが断続的になるという問題を容易に回避することができる。
【発明を実施するための最良の形態】
【００１９】
以下、本発明の実施の形態を図面に基づいて説明する。
【００２０】
図１は、本実施形態に係るサーバ型放送受信記録装置１の全体構成を示すブロック図である。
【００２１】
本実施形態のサーバ型放送受信記録装置１は、番組提供者側のサーバ型放送送信装置（図示略）から送出された番組コンテンツ（放送の場合は放送信号）を受信可能なハードディスクレコーダである。
【００２２】
サーバ型放送受信記録装置１は、アンテナ１０により受信した番組コンテンツ（地上ディジタル放送、ＢＳ放送、ＣＳ放送等）を選択的に入力するディジタルチューナなどの受信部１１と、受信した番組コンテンツからコンテンツ情報（映像データおよび音声データ）と番組情報とを分離する番組情報分離部１２と、録画した番組コンテンツのコンテンツ情報や、番組コンテンツの管理データとしての番組情報などを記録して貯蓄可能な記憶媒体としてのハードディスク１３と、録画時に受信部１１側から送られてくるコンテンツ情報をハードディスク１３に書き込んだり再生時にハードディスク１３からコンテンツ情報を読み出したりするコンテンツ制御部１４と、再生する番組コンテンツのコンテンツ情報をデコードして映像信号と音声信号を生成するデコード部１５と、録画した番組コンテンツの番組情報を管理してハードディスク１３に書き込んだり読み出したりする番組情報管理制御部１６と、該番組情報管理制御部１６から番組コンテンツの管理データを受けて後述するコンテンツ選択画面の表示信号を生成する表示制御部１７と、デコード部１５や表示制御部１７からの表示信号を選択的に出力したり、多重化して出力したりする多重化部１８と、を備えている。
【００２３】
また、図示は省略するが、このサーバ型放送受信記録装置１には、リモートコントローラ（以下、リモコンと呼ぶ）と、このリモコンからの信号を受信する受光器が設けられ、リモコン信号が番組情報管理制御部１６やコンテンツ制御部１４に送られるようになっている。リモコンには、メニューボタン、カーソル移動用の方向ボタン、決定ボタンのほか、種々の操作ボタンが設けられている。
【００２４】
上述したサーバ型放送受信記録装置１と、番組提供者（例えば、放送局）側に設置されるサーバ型放送送信装置と、でサーバ型放送システムが構成される。
【００２５】
このサーバ型放送システムにおいて、サーバ型放送送信装置は、番組コンテンツ（ディジタル放送信号）を生成するコンテンツ生成手段を備え、生成した番組コンテンツをサーバ型受信記録装置に送出する。一方、サーバ型放送受信記録装置１では、受信した番組コンテンツをいったんハードディスク１３に蓄積してから再生するという視聴形態が可能となる。
【００２６】
図２は、番組コンテンツの具体的な構成を示すデータチャートである。すなわち、サーバ型放送送信装置から送出される番組コンテンツは、実際の放送番組のコンテンツ情報（映像データ、音声データ）１０１ａ，１０２ａ，・・を含む第１番組コンテンツ１０１，１０２，・・と、複数の第１番組コンテンツ１０１，１０２，・・を紹介するためのプロモーション情報１０３ａを含む第２番組コンテンツ（プロモーションコンテンツ）１０３を有して構成される。
【００２７】
また、第１番組コンテンツ１０１，１０２は、コンテンツ情報１０１ａ，１０２ａの他に、番組の各種情報が格納された番組情報１０１ｂ，１０２ｂを含んでいる。この番組情報には、当該番組コンテンツを提供する放送局を示す放送局情報、番組のタイトル情報、番組の詳細情報（出演者やストーリ紹介など）を示したテキストデータ、番組の放送時間に関するデータなど、種々の情報が格納されている。
【００２８】
一方、第２番組コンテンツ１０３は、プロモーション情報１０３ａの他に番組情報１０３ｂを含んでいる。ここで、プロモーション情報１０３ａには、複数の第１番組コンテンツ１０１，１０２，・・のそれぞれに対応して設けられる番組別プロモーション情報１，２，・・・，ｎと、番組別プロモーション情報の表示態様を指定する表示態様情報と、が含まれている。
【００２９】
本実施形態では、第２番組コンテンツは、連続番組（シリーズもの）を構成する複数の第１番組コンテンツ（例えば１〜１６話）を紹介するものとする。すなわち、第２番組コンテンツ１０３のプロモーション情報１０３ａには、１６の番組別プロモーション情報が含まれている。
【００３０】
サーバ型放送受信記録装置１の番組情報管理制御部１６は、上述した番組情報１０１ｂ，１０２ｂ，１０３ｂをハードディスク１３の所定領域に格納して管理し、必要なとき（例えば第１のコンテンツ選択画面を生成するとき）にそれを読み出す。
【００３１】
また、表示制御部１７は、この番組情報１０１ｂ，１０２ｂ，１０３ｂに基づいて第１のコンテンツ選択画面を生成し表示する。さらに、表示制御部１７は、第２番組コンテンツ１０３に含まれるプロモーション情報１０３ａを利用して、複数の第１番組コンテンツの何れかを選択可能な第２のコンテンツ選択画面を生成することができる。具体的には、表示制御部１７は、プロモーション情報１０３ａに含まれる表示態様情報を解析可能であり、解析した結果に基づいて番組別プロモーション情報１，２，・・・，ｎを配置して第２のコンテンツ選択画面を生成し表示することができる。
【００３２】
さらに、本実施形態では、番組情報管理制御部１６は、記憶媒体に蓄積されている番組コンテンツの再生履歴情報を管理する再生履歴管理手段として機能し、具体的には、当該番組コンテンツを視聴したか否かを示す視聴情報と、再生した時間を示す再生時間情報と、を管理する。また、これらを管理するために、番組コンテンツがハードディスク１３に記録される際に、当該番組コンテンツに対応して再生履歴情報の初期値（視聴情報＝"０"（当該番組コンテンツが未視聴であることを示す）、再生時間情報＝"００：００：００"（再生時間が０であることを示す）を設定するようにしている。
【００３３】
また、表示制御部１７は、第２のコンテンツ選択画面内に、視聴情報および再生時間情報を所定の表示態様で表示するようにしている。具体的な表示態様については後述する。
【００３４】
次に、表示制御部１７により生成され、表示される第１及び第２のコンテンツ選択画面について説明する。
【００３５】
図３は、番組コンテンツに含まれる番組情報に基づいて生成される第１のコンテンツ選択画面の一例を示す画像図である。
【００３６】
本実施形態のサーバ型放送受信記録装置１では、リモコンのメニューボタンを押す等、所定操作を行うことにより、図３に示す第１のコンテンツ選択画面５０を表示することができる。この第１のコンテンツ選択画面において、視聴者は例えば再生のために所定の番組コンテンツを検索することができる。
【００３７】
図３に示す第１のコンテンツ選択画面５０は、最上部に配置された表示画面のタイトル表示枠５１と、ハードディスク１３に蓄積されている番組コンテンツのリスト表示が行われる画面中央部を占める第１表示枠５３と、この第１表示枠５３の上部に配置され選択された番組コンテンツの詳細情報が表示される第２表示枠５２と、第１表示枠５３に表示されている番組コンテンツの中から所定の番組コンテンツが選択された場合（図３では最上位の番組コンテンツが選択）に選択可能とされる操作ボタン５４ａ〜５４ｅが表示されている第３表示枠５４と、で構成されている。
【００３８】
第１表示枠５３には、横長の複数のリスト枠５３ａ〜５３ｆが縦方向に配列されるとともに、各リスト枠５３ａ〜５３ｆにそれぞれの番組コンテンツの主要情報として、当該番組コンテンツの録画日時情報、番組タイトル情報が表示されている。
【００３９】
また、第１のコンテンツ選択画面５０では、番組コンテンツは録画日時の新しい順に配列されている。視聴者は、リモコンの方向ボタンを操作することで、リスト枠５３ａ〜５３ｆの選択を上下に移動させたり、リスト枠５３ａ〜５３ｆのスクロール或いはページ送りを行ったりすることができる。なお、選択されたリスト枠は文字と枠内の色が変ったり反転表示されたりすることで視聴者が認識できるようにされる（図３では反転表示により選択状態を示している）。
【００４０】
この第１のコンテンツ選択画面５０は、ハードディスク１３に蓄積されている全ての番組コンテンツを、録画日時の新しい順に配列したものであり、表示される番組コンテンツは膨大な数になる。なお、装置によっては、放送局別、ジャンル別に絞って番組コンテンツを表示できるものもある。
【００４１】
また、本実施形態では、第１のコンテンツ選択画面において、実際の放送番組に対応する第１番組コンテンツ５３ｂ〜５３ｆと同様に、これらを含む複数の第１番組コンテンツを紹介するための第２番組コンテンツ（プロモーションコンテンツ）５３ａも選択可能に構成されている。図３ではプロモーションコンテンツ５３ａが選択された状態となっている。
【００４２】
この第１のコンテンツ選択画面において何れかの番組コンテンツが選択されると、コンテンツ制御部１４によって、選択された番組コンテンツのコンテンツ情報がハードディスク１３から読み出され再生されることとなる。ただし、第２番組コンテンツが選択された場合は、表示制御部１７によって第２のコンテンツ選択画面が生成され、表示されることとなる。
【００４３】
図４は、第２番組コンテンツに含まれるプロモーション情報に基づいて生成される第２のコンテンツ選択画面の一例を示す画像図である。本実施形態では、表示制御部１７は、第２番組コンテンツに含まれるプロモーション情報（番組別プロモーション情報および表示態様情報）を利用するとともに、再生履歴情報（視聴情報および再生時間情報）を参照して、連続番組を構成する複数の第１番組コンテンツ（１〜１６話）の何れかを選択可能な第２のコンテンツ選択画面を生成する。
【００４４】
例えば、図３に示す第１のコンテンツ選択画面５０において、第２番組コンテンツ（プロモーションコンテンツ）が選択された状態で、決定（再生）ボタンの操作が行われた場合に、第２のコンテンツ選択画面６０が生成され、表示される。この第２のコンテンツ選択画面において、視聴者はより効率的に所望の番組コンテンツを検索することができる。
【００４５】
図４に示す第２のコンテンツ選択画面６０は、最上部に配置された表示画面のタイトル表示枠６１と、当該プロモーションコンテンツで紹介される第１番組コンテンツの内容が表示されるプロモーション枠６２と、で構成されている。さらに、プロモーション枠６２には、紹介される第１番組コンテンツのそれぞれに対応する番組別プロモーション情報が表示される第１表示枠６２ｂと、カーソルによって選択された番組コンテンツの主要情報（番組タイトル、放送日時、番組説明等）を表示する第２表示枠６２ａと、で構成されている。
【００４６】
本実施形態では、第１表示枠６２ｂは、４×４の１６分割されており、紹介する１６の番組コンテンツに対応する番組別プロモーション情報、例えば、各番組コンテンツのダイジェスト映像が、区分けされた領域に配置されている。さらに、番組終了まで視聴した番組コンテンツの番組別プロモーション情報が表示されている領域は明度が低くされ、途中まで視聴した番組コンテンツについては番組別プロモーション情報が表示されている領域の右下に、当該番組コンテンツを再生した時間（再生時間情報）が表示される。図４に示す第２のコンテンツ選択画面では、番組コンテンツ１〜３が視聴済み状態であること、番組コンテンツ４が６０分再生されて途中で視聴中断された状態であること、番組コンテンツ５〜１６が未視聴状態であること、を表している。
【００４７】
このように、表示制御部１７は、第２のコンテンツ選択画面内に、視聴情報および再生時間情報を所定の表示態様で表示するようにしている。なお、再生履歴情報を参照して第２のコンテンツ選択画面に表示する手法は上述したものに制限されず、例えば、各領域の背景色の濃淡で再生時間を表すようにしてもよい。
【００４８】
第２のコンテンツ選択画面６０では、視聴者はリモコンの方向ボタンを操作することで、番組コンテンツ１〜１６を選択するためのカーソルを移動させたり、ページ送りを行ったりすることができる。なお、選択された番組コンテンツは文字と枠内の色が変ったり反転表示されたりする等、表示態様を他の領域と変えることで視聴者が認識できるようにされる（図４では番組７が選択された状態となっている）。
【００４９】
なお、この第２のコンテンツ選択画面６０の表示態様は、プロモーション情報に含まれる表示態様情報によって指定されている。すなわち、表示制御部１７が表示態様情報を解析することで、画面を分割して番組別プロモーション情報を図４に示すように配置したり、カーソルの大きさを決定したりして、第２のコンテンツ選択画面を生成している。また、再生履歴情報の表示は、番組情報管理制御部１６および表示制御部１７によって行われる。
【００５０】
この第２のコンテンツ選択画面６０において番組コンテンツが選択されると、コンテンツ制御部１４によって、選択された番組コンテンツのコンテンツ情報がハードディスク１３から読み出され再生されることとなる。例えば、それぞれの番組別プロモーション情報と、該番組別プロモーション情報に対応する番組コンテンツを関連付けておくことで、番組別プロモーション情報が選択されたときに、これに関連付けられた番組コンテンツのコンテンツ情報を読み出し、再生させることが可能となる。
【００５１】
このように、番組提供者から提供された第２番組コンテンツに基づいて、サーバ型放送受信記録装置で第２のコンテンツ選択画面を生成するようにしているので、サーバ型放送受信記録装置が変わっても同様のＥＣＧで番組コンテンツを視聴者に提示することができる。
【００５２】
次に、本実施形態のサーバ型放送受信記録装置１において、第１及び第２のコンテンツ選択画面を利用して、所望の番組コンテンツを再生させる方法について説明する。
【００５３】
図５は、番組コンテンツ再生処理について示したフローチャートである。
【００５４】
まず、ステップＳ１１で、第１のコンテンツ選択画面（図３参照）が表示されているか判定する。ステップＳ１１で、第１のコンテンツ選択画面が表示されていないと判定した場合はそのまま処理を終了し、一方、第１のコンテンツ選択画面が表示されていると判定した場合はステップＳ１２に移行する。そして、ステップＳ１２で、第１のコンテンツ選択画面において、番組コンテンツを選択する操作（例えば、所定の番組リストにカーソルを合わせた状態での決定ボタンの操作）があったか判定する。
【００５５】
次に、ステップＳ１２で番組コンテンツの選択操作が行われたと判定した場合は、選択された番組コンテンツがプロモーションコンテンツであるか判定する（ステップＳ１３）。そして、ステップＳ１３で、選択された番組コンテンツがプロモーションコンテンツでないと判定した場合は、選択された番組コンテンツは通常の放送番組である第１番組コンテンツとなるため、ステップＳ１６に移行して、コンテンツ制御部１４により当該番組コンテンツの再生処理が行われる。
【００５６】
一方、ステップＳ１３で、選択された番組コンテンツがプロモーションコンテンツであると判定した場合は、表示制御部１７により第２のコンテンツ選択画面（図４参照）を生成し、表示する（ステップＳ１４）。そして、ステップＳ１５で、第２のコンテンツ選択画面において、番組コンテンツ（当然プロモーションコンテンツは含まれない）を選択する操作があったか判定する。そして、ステップＳ１５で番組コンテンツの選択操作が行われたと判定した場合は、ステップＳ１６に移行して、コンテンツ制御部１４により当該番組コンテンツの再生処理が行われる。
【００５７】
次に、第１のコンテンツ選択画面または第２のコンテンツ選択画面において、第１番組コンテンツが選択された場合（ステップＳ１３で"Ｎ"，ステップＳ１５で"Ｙ"）には、視聴情報が０（未視聴状態を示す）であるか判定する（ステップＳ１６）。そして、視聴情報が"０"であると判定した場合は、視聴情報を"１"に更新し（ステップＳ１８）、選択された番組コンテンツを最初から再生する（ステップＳ１９）。
【００５８】
一方、ステップＳ１６で視聴情報が"０"でないと判定した場合は、当該番組コンテンツの再生時間情報に従って番組コンテンツを再生する（ステップＳ１７）。番組の途中で視聴中断されている場合は途中から再生されることとなり、番組終了まで視聴されている場合は最初から再生されることとなる。
【００５９】
次いで、ステップＳ２０で、当該番組コンテンツの終了まで視聴されたか判定する。そして、番組終了まで視聴されたと判定した場合は、再生時間情報をリセットし（ステップＳ２３）、処理を終了する。
【００６０】
一方、ステップＳ２０で、番組終了まで視聴されていないと判定した場合は、途中で視聴を中断されたか判定する（ステップＳ２１）。そして、視聴を中断されていないと判定した場合はステップＳ２０に移行し、これらの処理を繰り返す。一方、視聴を中断されたと判定した場合はステップＳ２２に移行し、再生時間情報を更新して処理を終了する。
【００６１】
上述したように、本実施形態では、番組提供者側から複数の番組コンテンツ（第１番組コンテンツ）の内容が紹介されるプロモーションコンテンツ（第２番組コンテンツ）を送出してもらい、サーバ型受信記録装置側で複数の番組コンテンツの内容が同時に提示されるようにしているので、視聴者は番組内容を理解した上で、実際に視聴する番組を容易に選局することができる。
【００６２】
また、連続番組のプロモーションコンテンツにより第２のコンテンツ選択画面が生成され表示される場合には、各番組コンテンツについて再生履歴情報が表示されるので、どの番組コンテンツまで視聴したか等、視聴状態を容易に把握できる。したがって、連続番組を順番に視聴しなかったためにストーリーが断続的になるという問題を容易に回避することができる。
【００６３】
以上、本発明者によってなされた発明を実施形態に基づいて具体的に説明したが、本発明は上記実施形態に限定されるものではなく、その要旨を逸脱しない範囲で変更可能である。
【００６４】
例えば、第２番組コンテンツ（プロモーションコンテンツ）に含まれるプロモーション情報は、連続番組のプロモーション情報でなくてもよい。第２のコンテンツ選択画面に再生履歴情報を表示させるのは、連続番組の番組コンテンツを紹介する場合に特に効果的であるが、紹介する番組コンテンツに共通性がない場合であっても各番組コンテンツの再生履歴情報を把握できることは視聴者にとって便利である。
【００６５】
また、放送局から第２番組コンテンツを複数種類提供するようにし、サーバ型放送受信記録装置で複数態様の第２のコンテンツ選択画面を表示できるようにしてもよい。
【００６６】
また、サーバ型放送送信装置は、所定時間経過毎に第２番組コンテンツを送出するようにするのが望ましい。これにより、サーバ型放送受信記録装置には、随時新しいプロモーションコンテンツが蓄積されることになるので、現在の番組コンテンツの蓄積状況に応じたコンテンツ選択画面を生成し、表示させることができる。
【００６７】
さらに、上記実施形態では、第１のコンテンツ選択画面５０において所定の操作を行うことで、第２のコンテンツ選択画面６０を表示させるようにしているが、リモコンに専用ボタンを設けて、この専用ボタンを操作することで一発で第２のコンテンツ選択画面を表示できるようにしてもよい。
【００６８】
また、番組コンテンツが提供される伝送経路は、地上ディジタル放送、ＢＳ放送、ＣＳ放送等の放送電波に限らず、インターネット通信を利用する場合もありうる。
【００６９】
その他、番組コンテンツが保存される記憶媒体の種類、管理する番組情報を記録する媒体や記録方法など、実施の形態で示した具体的な構成は、発明の趣旨を逸脱しない範囲で適宜変更可能である。
【図面の簡単な説明】
【００７０】
【図１】本実施形態のサーバ型受信記録装置の全体構成を示すブロック図である。
【図２】番組コンテンツのデータチャートの一例である。
【図３】第１のコンテンツ選択画面の一例を示す画像図である。
【図４】第２のコンテンツ選択画面の一例を示す画像図である。
【図５】番組コンテンツ再生処理を示すフローチャートである。
【符号の説明】
【００７１】
１  サーバ型放送受信記録装置
１０  アンテナ
１１  受信部（チューナ）
１２  番組情報分離部
１３  ハードディスク
１４  コンテンツ制御部
１５  デコード部
１６  番組情報管理制御部（再生履歴情報管理手段）
１７  表示制御部
１８  多重化部
５０  第１のコンテンツ選択画面
６０  第２のコンテンツ選択画面
【図１】
2007288510.tif 000003
【図２】
2007288510.tif 000004
【図３】
2007288510.tif 000005
【図４】
2007288510.tif 000006
【図５】
2007288510.tif 000007